(57)【要約】【課題】動作不良を低減できる表示装置を提供する。【解決手段】本開示に係る表示装置１は、映像信号にクロックが重畳された入力映像信号を用いて、映像を表示する表示装置であって、所定の映像を表示するための疑似信号に疑似クロックが重畳された疑似映像信号を生成する疑似映像信号生成部１１０（生成部）と、入力映像信号及び疑似映像信号のうちの一方の信号が選択的に入力され、当該一方の信号に含まれるクロック又は疑似クロックと同期するように、抽出クロックを出力するＰＬＬ部１３０と、抽出クロックを用いて、一方の信号をデコードすることにより、デコード後の映像信号及び同期信号を出力するデコード回路１４０とを備える。【選択図】図２
2015220593.tif 000002
【特許請求の範囲】
【請求項１】
映像信号に第１クロックが重畳された入力映像信号を用いて、映像を表示する表示装置であって、
所定の映像を表示するための疑似信号に第２クロックが重畳された疑似映像信号を生成する生成部と、
前記入力映像信号及び前記疑似映像信号のうちの一方の信号が選択的に入力され、当該一方の信号に含まれる前記第１クロック又は前記第２クロックと同期するように、抽出クロックを出力するＰＬＬ部と、
前記抽出クロックを用いて、前記一方の信号をデコードすることにより、デコード後の映像信号及び同期信号を出力するデコード回路とを備える
表示装置。
【請求項２】
さらに、前記表示装置の外部機器から当該表示装置に対する前記入力映像信号の入力の有無を検出する検出部と、
前記検出部によって前記入力映像信号の入力が有ると検出された場合、前記入力映像信号を前記ＰＬＬ部に入力させ、無いと検出された場合、前記疑似映像信号を前記ＰＬＬ部に入力させる制御部とを備える
請求項１に記載の表示装置。
【請求項３】
前記検出部は、前記入力映像信号の入力の有無を、所定時間間隔で繰り返し検出する
請求項２に記載の表示装置。
【請求項４】
前記制御部は、前記検出部によって前記入力映像信号の入力が無いと検出された場合、前記抽出クロックの周波数を変更させる変更部を備える
請求項２又は３に記載の表示装置。
【請求項５】
前記入力映像信号は、所定の通信規格に準拠した信号であり、
前記変更部は、前記所定の通信規格によって定められた周波数帯域の最大周波数、中心周波数及び最小周波数を前記周波数として、任意の順序で変更する
請求項４に記載の表示装置。
【請求項６】
前記デコード回路は、前記疑似映像信号をデコードする第１状態から前記入力映像信号をデコードする第２状態へ切り替わった場合、切り替わり直前の前記同期信号から１フレーム期間が過ぎてから、切り替わり後の前記同期信号を出力する
請求項１〜５のいずれか１項に記載の表示装置。
【請求項７】
前記生成部は、前記第２クロックとして前記抽出クロックを用いて、前記疑似映像信号を生成する
請求項１〜６のいずれか１項に記載の表示装置。
【請求項８】
映像信号に第１クロックが重畳された入力映像信号を用いて、映像を表示する表示装置の表示切替方法であって、
所定の映像を表示するための疑似信号に第２クロックが重畳された疑似映像信号を生成するステップと、
前記入力映像信号及び前記疑似映像信号のうちの一方の信号に含まれる前記第１クロック又は前記第２クロックと同期するように、抽出クロックを生成するステップと、
生成された前記抽出クロックを用いて、前記一方の信号をデコードするステップとを含み、
前記抽出クロックを生成するステップは、
前記入力映像信号及び前記疑似映像信号のうちの一方の信号を選択するステップと、
前記一方の信号として前記入力映像信号が選択された場合、前記第１クロックと同期するように前記抽出クロックを生成するステップと、
前記一方の信号として前記疑似映像信号が選択された場合、前記第２クロックと同期するように前記抽出クロックを生成するステップとを含む
表示装置の表示切替方法。
【発明の詳細な説明】
【技術分野】
【０００１】
本開示は、映像信号に第１クロックが重畳された入力映像信号を用いて、映像を表示する表示装置及び表示切替方法に関する。
【背景技術】
【０００２】
テレビ等の表示装置では、当該表示装置の外部機器から入力される入力映像信号が無い無信号状態において、表示パネルの画面全体に青色を表示するブルーバック等の所定の画像を表示する構成が知られている（例えば、特許文献１）。このように、無信号状態では、表示パネルにブルーバック等を表示することにより、当該表示パネルの焼き付きを低減できる。
【０００３】
ところで、近年では、外部機器と表示装置との映像信号の伝送に、Ｖ−ｂｙ−Ｏｎｅ（登録商標）及びＤＰ（Ｄｉｓｐｌａｙ  Ｐｏｒｔ）といった高速シリアルインターフェースを用いることが増えている。このような高速シリアルインターフェースを用いた通信では、映像信号にクロックを重畳して伝送する場合がある。そこで、このような場合、表示装置は、当該クロックを再生する必要がある。このようなクロックを再生する構成として、入力映像信号の同期引き込みを行うことによりクロックを生成するＰＬＬ回路が開示されている（例えば、特許文献２）。
【先行技術文献】
【特許文献】
【０００４】
【特許文献１】特開平５−８３７２４号公報
【特許文献２】特開２００６−１３７３０号公報
【発明の概要】
【発明が解決しようとする課題】
【０００５】
しかしながら、このようなＰＬＬ回路の構成では、入力映像信号が無信号状態となってブルーバックを表示している場合に、ＰＬＬ回路において同期はずれが生じる虞がある。つまり、当該場合において、ＰＬＬ回路が動作しなくなる虞がある。したがって、その後、入力映像信号が入力されてもＰＬＬ回路が当該入力映像信号を引き込むことができずに、ブルーバックが表示され続ける虞がある。つまり、入力映像信号に基づく正常な画像が表示されない等の動作不良が生じる虞がある。
【０００６】
本開示は、上述の課題に鑑みてなされたものであり、動作不良を低減できる表示装置及び表示切替方法を提供する。
【課題を解決するための手段】
【０００７】
上記の課題に鑑みて、本開示に係る表示装置は、映像信号に第１クロックが重畳された入力映像信号を用いて、映像を表示する表示装置であって、所定の映像を表示するための疑似信号に第２クロックが重畳された疑似映像信号を生成する生成部と、入力映像信号及び疑似映像信号のうちの一方の信号が選択的に入力され、当該一方の信号に含まれる第１クロック又は第２クロックと同期するように、抽出クロックを出力するＰＬＬ部と、抽出クロックを用いて、一方の信号をデコードすることにより、デコード後の映像信号及び同期信号を出力するデコード回路とを備える。
【発明の効果】
【０００８】
本開示の表示装置によれば、動作不良を低減することができる。
【図面の簡単な説明】
【０００９】
【図１】図１は、実施の形態に係る表示装置の構成例を示すブロック図である。
【図２】図２は、図１中の表示切替部の構成を示すブロック図である。
【図３】図３は、図２中のＰＬＬ部の構成を示すブロック図である。
【図４】図４は、実施の形態に係る表示切替部の動作を示すフローチャートである。
【図５】図５は、実施の形態におけるデコード回路から出力される同期信号を示すタイミングチャートである。
【図６】図６は、比較例における表示切替部の構成を示すブロック図である。
【図７】図７は、他の実施の形態に係る表示装置内の表示切替部の構成を示すブロック図である。
【図８】図８は、他の実施の形態における表示装置の表示切替方法を示すフローチャートである。
【図９】図９は、図８中の抽出クロックを生成する処理を具体的に示すフローチャートである。
【発明を実施するための形態】
【００１０】
本開示に係る表示装置の一態様は、映像信号に第１クロックが重畳された入力映像信号を用いて、映像を表示する表示装置であって、所定の映像を表示するための疑似信号に第２クロックが重畳された疑似映像信号を生成する生成部と、入力映像信号及び疑似映像信号のうちの一方の信号が選択的に入力され、当該一方の信号に含まれる第１クロック又は第２クロックと同期するように、抽出クロックを出力するＰＬＬ部と、抽出クロックを用いて、一方の信号をデコードすることにより、デコード後の映像信号及び同期信号を出力するデコード回路とを備える。
【００１１】
このように、ＰＬＬ部に対して、入力映像信号及び疑似映像信号のうちの一方の信号が選択的に入力されるので、入力映像信号が無い場合であっても、ＰＬＬ部は疑似映像信号の同期引き込みを行うことができる。よって、同期はずれによるＰＬＬ部の停止を抑制できる。つまり、本態様に係る表示装置は、動作不良を低減することができる。
【００１２】
また、さらに、表示装置の外部機器から当該表示装置に対する入力映像信号の入力の有無を検出する検出部と、検出部によって入力映像信号の入力が有ると検出された場合、入力映像信号をＰＬＬ部に入力させ、無いと検出された場合、疑似映像信号をＰＬＬ部に入力させる制御部とを備えてもよい。
【００１３】
このように、表示装置の外部機器から当該表示装置に対する入力映像信号の入力の有無に応じて、ＰＬＬ部に入力される信号が切り替えられるので、表示装置に対する入力映像信号の入力がない状態（無信号状態）であっても、同期はずれによるＰＬＬ部の停止を抑制できる。
【００１４】
また、検出部は、入力映像信号の入力の有無を、所定時間間隔で繰り返し検出してもよい。
【００１５】
これにより、表示装置に対して入力映像信号の入力が開始された場合に、ＰＬＬ部が入力映像信号を速やかに引き込むことができる。よって、当該表示装置は、入力映像信号に基づく映像を速やかに表示することができる。つまり、ＰＬＬ部が高速にロックできる。よって、表示装置は、入力映像信号に基づく映像を速やかに表示することができる。
【００１６】
また、制御部は、検出部によって入力映像信号の入力が無いと検出された場合、抽出クロックの周波数を変更させる変更部を備えてもよい。
【００１７】
これにより、例えば、入力映像信号に周波数拡散がかかっている場合、及び、表示装置の外部機器の基準周波数が所定の周波数からずれることにより、第１クロックが通信規格の中心周波数からずれている場合等であっても、ＰＬＬ部は入力映像信号の同期引き込みを行うことができる。つまり、これらの場合であっても、ＰＬＬ部はロックできる。よって、これらの場合であっても、表示装置は、入力映像信号に基づく映像を表示することができる。
【００１８】
また、入力映像信号は、所定の通信規格に準拠した信号であり、変更部は、所定の通信規格によって定められた周波数帯域の最大周波数、中心周波数及び最小周波数を周波数として、任意の順序で変更してもよい。
【００１９】
これにより、表示装置の外部機器の基準周波数が所定の周波数からずれることにより、入力映像信号に含まれる第１クロックが通信規格の中心周波数からずれている場合であっても、ＰＬＬ部によって入力映像信号の同期引き込みを行うことができる。つまり、このような場合であっても、ＰＬＬ部はロックできる。よって、このような場合であっても、表示装置は、入力映像信号に基づく映像を表示することができる。
【００２０】
また、デコード回路は、疑似映像信号をデコードする第１状態から入力映像信号をデコードする第２状態へ切り替わった場合、切り替わり直前の同期信号から１フレーム期間が過ぎてから、切り替わり後の同期信号を出力してもよい。
【００２１】
これにより、切り替え時の表示不良を抑制できる。
【００２２】
また、生成部は、第２クロックとして抽出クロックを用いて、疑似映像信号を生成してもよい。
【００２３】
これにより、入力映像信号に含まれる第１クロックと、疑似映像信号に含まれる第２クロックとの差を小さくすることができる。すなわち、ＰＬＬ部への入力が擬似映像信号から入力映像信号に切り替えられた直後において、抽出クロックと第１クロックとの周波数差を小さくすることができる。したがって、ＰＬＬ部は、入力映像信号の同期引き込みを速やかに行うことができる。つまり、ＰＬＬ部が高速にロックできる。よって、ＰＬＬ部に対する入力が入力映像信号に切り替えられた場合に、表示装置は、入力映像信号に基づく映像を速やかに表示することができる。
【００２４】
また、これらの包括的または具体的な態様は、映像信号に第１クロックが重畳された入力映像信号を用いて、映像を表示する表示装置の表示切替方法として実現されてもよく、本開示に係る表示装置の表示切替方法の一態様は、所定の映像を表示するための疑似信号に第２クロックが重畳された疑似映像信号を生成するステップと、入力映像信号及び疑似映像信号のうちの一方の信号に含まれる第１クロック又は第２クロックと同期するように、抽出クロックを生成するステップと、生成された抽出クロックを用いて、一方の信号をデコードするステップとを含み、抽出クロックを生成するステップは、入力映像信号及び疑似映像信号のうちの一方の信号を選択するステップと、一方の信号として入力映像信号が選択された場合、第１クロックと同期するように抽出クロックを生成するステップと、一方の信号として疑似映像信号が選択された場合、第２クロックと同期するように抽出クロックを生成するステップとを含む。
【００２５】
以下、本開示に係る表示装置の一態様について、図面を参照しながら具体的に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００２６】
なお、発明者は、当業者が本開示を十分に理解するために添付図面および以下の説明を提供するのであって、これらによって特許請求の範囲に記載の主題を限定することを意図するものではない。例えば、以下の実施の形態で示される数値、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。また、以下の各図は、模式図であり、必ずしも厳密に図示したものではない。
【００２７】
（実施の形態）
以下、本開示の実施の形態について説明する。
【００２８】
［１．構成］
［１−１．概要］
まず、本実施の形態に係る表示装置について、図１を用いて簡単に説明する。図１は、本実施の形態に係る表示装置の構成例を示すブロック図である。
【００２９】
図１に示す表示装置１は、映像信号に応じた映像を表示する、例えばテレビであり、放送局から送信された映像信号に応じた映像を表示する。また、さらに、この表示装置１は、図１に示すように、映像信号発生器２Ａ〜２Ｃに接続され、当該映像信号発生器２Ａ〜２Ｃで発生された映像信号に応じた映像を表示する。
【００３０】
映像信号発生器２Ａ〜２Ｃは、映像データを記憶している記憶媒体を含み、当該記憶媒体から映像データを読み出すことにより映像信号を生成する、例えば、ハードディスクレコーダ、ＤＶＤレコーダ、ＢＤ（Ｂｌｕ−ｒａｙ（登録商標）  Ｄｉｓｃ）レコーダ等である。これら映像信号発生器２Ａ〜２Ｃは、ＳＴＰ（Ｓｈｉｅｌｄｅｄ  Ｔｗｉｓｔｅｄ  Ｐａｉｒ）ケーブル、ＤＰ（ＤｉｓｐｌａｙＰｏｒｔ）ケーブル等のケーブルを介して表示装置１と接続され、表示装置１へ映像信号を出力する。
【００３１】
ここで、各映像信号発生器２Ａ〜２Ｃから表示装置１へ出力される映像信号には、表示装置１の大型化及び高解像度化等により、高い伝送速度が要求される。例えば、伝送速度は、ＤＰ規格の場合、最大２．７Ｇｂｐｓ×レーン数、Ｖ−ｂｙ−Ｏｎｅ（登録商標）ＨＳ規格の場合、最大３．７５Ｇｂｐｓ×レーン数となる。ただし、実際には、８ｂｉｔのデータを１０ｂｉｔのデータに変換して伝送するため、上記速度の４／５倍が実効速度となる。
【００３２】
したがって、伝送に用いられるレーンの数が増大すると、レーン間のタイミングのずれ（スキューとも言う）によって、正常な表示できない場合がある。そこで、スキューによる影響を抑制するために、映像信号には、当該映像信号をデコードするためのクロックが重畳されている。
【００３３】
よって、表示装置１は、クロック（第１クロック）が重畳された映像信号を用いて、映像信号に含まれるクロックを抽出し、抽出したクロックを用いて当該映像信号をデコードすることが必要である。
【００３４】
［１−２．詳細構成］
以下、表示装置１の構成について、具体的に説明する。
【００３５】
図１に示すように、表示装置１は、スイッチ１０と、変換器２０と、回路ブロック３０と、表示パネル４０とを備える。
【００３６】
スイッチ１０は、映像信号発生器２Ａ〜２Ｃから出力された映像信号である入力映像信号のうち、いずれか１つを変換器２０へ入力する。
【００３７】
変換器２０は、映像信号発生器２Ａ〜２Ｃから入力された入力映像信号を、差動信号から単一信号へと変換する。具体的には、入力映像信号は、耐ノイズ性を確保するために、差動信号に変換されて、各映像信号発生器２Ａ〜２Ｃから表示装置１へ伝送されている。よって、変換器２０で、差動信号から単一信号へと変換し、後段の処理を容易にする。
【００３８】
回路ブロック３０は、変換器２０によって単一信号に変換された入力映像信号を用いて、表示パネル４０を駆動する各種信号を生成する。この回路ブロック３０は、具体的には、表示切替部３１と、映像信号処理回路３２と、ＴＣＯＮ（Ｔｉｍｉｎｇ  Ｃｏｎｔｒｏｌｌｅｒ）３３とを備える。
【００３９】
表示切替部３１は、変換器２０によって単一信号に変換された入力映像信号をデコードし、デコード後の映像信号及び同期信号を出力する。また、表示切替部３１は、入力映像信号が無い場合に、表示パネル４０に所定の画像を表示するための映像信号及び同期信号を出力する。つまり、表示切替部３１は、表示パネル４０に表示される映像を、入力映像信号に基づく映像と所定の画像とで切り替える。なお、同期信号とは、例えば、垂直同期信号（Ｖｓｙｎｃ）及び水平同期信号（Ｈｓｙｎｃ）である。
【００４０】
ここで、所定の画像とは、表示パネル４０にストレスをかけにくい画像であり、例えば、表示パネル４０の表示領域全体が青色となるブルーバック等である。つまり、表示切替部３１は、入力映像信号の有無に応じて、表示パネル４０に表示される映像を、入力映像信号に基づく通常の映像と、所定の画像とで切り替える。なお、この表示切替部３１の詳細な構成については、後述する。
【００４１】
映像信号処理回路３２は、表示切替部３１から出力された映像信号及び同期信号に対して、各種の信号処理を施し、ＴＣＯＮ３３に必要な形式の映像信号へと変換する。ここで、各種の信号処理とは、例えば、映像信号から電圧信号である信号電圧への変換、及び、ガンマ補正等である。
【００４２】
ＴＣＯＮ３３は、表示パネル４０内に設けられた、後述するゲートドライバ４３及びソースドライバ４４に対して、各画素行の発光タイミングや、信号電圧の書き込みタイミング等を指示するタイミングコントローラである。ただし、タイミングコントローラに限定させるものではなく、たとえば、マイコンなどのコンピュータ、デジタル信号処理回路など、多種多様なものを含む。
【００４３】
このように、回路ブロック３０は、変換器２０から入力された入力映像信号を、表示パネル４０に適した信号へと変換する。
【００４４】
表示パネル４０は、複数の画素４１が行列状に配置された画素アレイ４２と、各画素行に対して、回路ブロック３０から出力された信号電圧の書き込みタイミングを指示するゲートドライバ４３と、所定のタイミングで信号電圧を出力するソースドライバ４４とを有する。これにより、表示パネル４０は、入力映像信号に基づく映像を表示することができる。
【００４５】
このように、本実施の形態に係る表示装置１は、映像信号にクロック（第１クロック）が重畳された入力映像信号を用いて、入力映像信号に基づく映像を表示する。
【００４６】
なお、表示装置１は、例えば、図示しないが、ＣＰＵ（Ｃｅｎｔｒａｌ  Ｐｒｏｃｅｓｓｉｎｇ  Ｕｎｉｔ）、制御プログラムを格納したＲＯＭ（Ｒｅａｄ  Ｏｎｌｙ  Ｍｅｍ
ｏｒｙ）などの記憶媒体、ＲＡＭ（Ｒａｎｄｏｍ  Ａｃｃｅｓｓ  Ｍｅｍｏｒｙ）などの作業用メモリ、および通信回路を有するとしてもよい。
【００４７】
［１−３．表示切替部］
次に、上述した表示切替部３１の詳細な構成について、図２及び図３を用いて説明する。図２は、図１中の表示切替部３１の構成を示すブロック図である。図３は、図２中のＰＬＬ部１３０の構成を示すブロック図である。
【００４８】
図２に示すように、表示切替部３１は、疑似映像信号生成部１１０（生成部）と、ＰＬＬ部１３０と、デコード回路１４０とを備える。さらに、スイッチ１２０Ａ（図中ＳＷ１）と、スイッチ１２０Ｂ（図中ＳＷ２）と、検出部１５０と、制御部１６０とを備える。
【００４９】
［１−３−１．疑似映像信号生成部］
疑似映像信号生成部１１０は、表示パネル４０に所定の映像（例えば、ブルーバック）を表示するための疑似信号に疑似クロック（第２クロック）が重畳された疑似映像信号を生成する。なお、本実施の形態では、疑似クロックとして抽出クロックが用いられている。つまり、疑似映像信号生成部１１０は、ＰＬＬ部１３０から出力された抽出クロックを用いて、疑似映像信号を生成する。
【００５０】
ここで、疑似映像信号は、疑似信号に疑似クロックが重畳された信号であり、例えば、ＤＰ規格やＶ−ｂｙ−Ｏｎｅ（登録商標）ＨＳ規格に準拠した信号である。つまり、疑似映像信号は、変換器２０から表示切替部３１に入力された入力映像信号と同一のプロトコルに準拠した信号である。
【００５１】
［１−３−２．スイッチ］
スイッチ１２０Ａ（ＳＷ１）、１２０Ｂ（ＳＷ２）は、入力端子ａ、ｂと出力端子とを有し、制御部１６０の指示に従って、いずれか一方の入力端子ａ、ｂと出力端子とを接続する。つまり、スイッチ１２０Ａ（ＳＷ１）、１２０Ｂ（ＳＷ２）は、入力を入力端子ａと入力端子ｂとの間で切り替える。
【００５２】
［１−３−３．ＰＬＬ部］
ＰＬＬ部１３０は、入力映像信号及び疑似映像信号のうちの一方の信号が選択的に入力され、当該一方の信号に含まれるクロック（第１クロック）又は抽出クロック（疑似クロック）と同期するように、抽出クロックを出力する。具体的には、ＰＬＬ部１３０は、スイッチ１２０Ａ（ＳＷ１）の入力が入力端子ａになっている場合には、疑似映像信号に含まれるクロックに同期するように、抽出クロックを出力する。また、ＰＬＬ部１３０は、スイッチ１２０Ａ（ＳＷ１）の入力が入力端子ｂになっている場合には、入力映像信号に含まれるクロックに同期するように、抽出クロックを出力する。
【００５３】
このＰＬＬ部１３０は、具体的には、図３に示すように、例えば、プログラマブル分周器１３１と、位相比較器１３２と、ループフィルタ１３３と、ＶＣＯ（Ｖｏｌｔａｇｅ  Ｃｏｎｔｒｏｌｌｅｄ  Ｏｓｃｉｌｌａｔｏｒ：電圧制御発振器）１３４とを有する。
【００５４】
プログラマブル分周器１３１は、ＰＬＬ部１３０から出力された抽出クロックのフィードバックが入力され、入力されたフィードバック信号（抽出クロック）を１／Ｎ分周（Ｎは任意の自然数）する分周器１３１Ａと、入力映像信号及び疑似映像信号のうちの一方の信号が選択的に入力され、入力された当該一方の信号を１／Ｍ分周（Ｍは任意の自然数）する分周器１３１Ｂとを含む。
【００５５】
分周器１３１Ｂに入力される信号は、具体的には、スイッチ１２０Ａ（ＳＷ１）の入力が入力端子ａになっている場合には、疑似映像信号であり、当該入力が入力端子ｂになっている場合には、入力映像信号である。より具体的には、分周器１３１Ｂに入力される信号は、後述するエッジ検出部１５１によって検出された、疑似映像信号又は入力映像信号に含まれるクロックである。
【００５６】
ここで、分周器１３１Ａ、１３１Ｂの分周比を定める自然数Ｍ、Ｎの値は、制御部１６０によって任意の値にデジタル設定され、これらＭ、Ｎの比によって、ＰＬＬ部１３０から出力される抽出クロックの周波数が変更される。具体的には、Ｍ、Ｎの値は、制御部１６０が有する疑似信号基準周波数制御回路１６４から出力される各分周比を示す基本周波数情報によって設定される。
【００５７】
位相比較器１３２は、分周器１３１Ａから出力された信号と、分周器１３１Ｂから出力された信号との位相差を示す信号を出力する。
【００５８】
ループフィルタ１３３は、位相比較器１３２から出力された信号を平均化するローパスフィルタである。また、当該ループフィルタ１３３は、後述する制御部１６０の疑似信号基準周波数制御回路１６４から出力される固定信号に応じて、当該ループフィルタ１３３の出力を固定する。
【００５９】
ＶＣＯ１３４は、ループフィルタ１３３から出力された直流信号によって発振周波数が制御される、可変周波数発振器である。
【００６０】
このような構成により、ＰＬＬ部１３０は、入力映像信号及び疑似映像信号のうちの一方の信号に含まれるクロックと同期するように、抽出クロックを出力する。
【００６１】
なお、表示装置１に入力された入力映像信号に含まれるクロック（第１クロック）は、後述するエッジ検出部１５１によって検出される。ただし、ここで検出されるクロックの周波数は、映像信号発生器２Ａ〜２Ｃにおいて重畳された一定周波数のクロックと比較して、伝送時の雑音等の影響によりバラついている。よって、ＰＬＬ部１３０は、入力映像信号が入力されている場合、当該入力映像信号に含まれるクロックの平均周波数と安定して同期するように、抽出クロックを出力してもよい。
【００６２】
［１−３−４．デコード回路］
デコード回路１４０は、ＰＬＬ部１３０から出力された抽出クロックを用いて、ＰＬＬ部１３０に選択的に入力されている信号をデコードすることにより、デコード後の映像信号及び同期信号を出力する。
【００６３】
具体的には、デコード回路１４０は、スイッチ１２０Ａ（ＳＷ１）の入力が入力端子ａ、かつ、スイッチ１２０Ｂ（ＳＷ２）の入力が入力端子ａになっている場合には、ＰＬＬ部１３０から出力された抽出クロックを用いて疑似映像信号をデコードする。よって、当該場合には、デコード後の映像信号として、表示パネル４０に所定の画像（例えば、ブルーバック）を表示するための信号が生成される。つまり、デコード後の映像信号として、疑似映像信号生成部１１０において抽出クロックを重畳する前の疑似信号が生成される。
【００６４】
また、デコード回路１４０は、スイッチ１２０Ａ（ＳＷ１）の入力が入力端子ｂ、かつ、スイッチ１２０Ｂ（ＳＷ２）の入力が入力端子ｂになっている場合には、ＰＬＬ部１３０から出力された抽出クロックを用いて入力映像信号をデコードする。よって、当該場合には、デコード後の映像信号として、入力映像信号に基づく通常の映像を表示するための信号が生成される。つまり、デコード後の映像信号として、映像信号発生器２Ａ〜２Ｃにおいてクロックを重畳する前の映像信号が生成される。
【００６５】
［１−３−５．検出部］
検出部１５０は、表示装置１の外部機器である映像信号発生器２Ａ〜２Ｃから当該表示装置１に対する入力映像信号の入力の有無を検出する。具体的には、検出部１５０は、スイッチ１２０Ａ（ＳＷ１）によって入力映像信号及び疑似映像信号の一方の信号が選択的に入力される。つまり、スイッチ１２０Ａ（ＳＷ１）の入力が入力端子ａになっている場合には、疑似映像信号が入力され、スイッチ１２０Ａ（ＳＷ１）の入力が入力端子ｂになっている場合には、入力映像信号が入力される。具体的には、検出部１５０は、エッジ検出部１５１と、キャリア検出部１５２とを備える。
【００６６】
エッジ検出部１５１は、検出部１５０に入力された信号のエッジを検出することにより当該信号に含まれるクロックを検出し、検出したクロックをＰＬＬ部１３０へ出力する。
【００６７】
キャリア検出部１５２は、検出部１５０に入力された信号のキャリアを検出することにより、当該信号が検出部１５０へ入力されているか否か判定する。より具体的には、キャリア検出部１５２は、キャリアが検出できた場合には信号の入力が有ると判定し、検出できない場合には信号の入力が無いと判定する。また、さらに、キャリア検出部１５２は、キャリアが検出できたか否かを示す信号を制御部１６０へと出力する。
【００６８】
つまり、検出部１５０は、スイッチ１２０Ａ（ＳＷ１）の入力が入力端子ｂにされ、かつ、キャリア検出部１５２によってキャリアが検出できた場合に、表示装置１に対する入力映像信号が有ると判定する。一方、スイッチ１２０Ａ（ＳＷ１）の入力が入力端子ｂにされ、かつ、キャリア検出部１５２によってキャリアが検出できない場合に、表示装置１に対する入力映像信号が無いと判定する。
【００６９】
［１−３−６．制御部］
制御部１６０は、検出部１５０によって入力映像信号の入力が有ると検出された場合、入力映像信号をＰＬＬ部１３０に入力させ、無いと検出された場合、疑似映像信号をＰＬＬ部１３０に入力させる。
【００７０】
具体的には、制御部１６０は、スタート抽出部１６１と、同期信号検出部１６２と、条件判定回路１６３と、疑似信号基準周波数制御回路１６４（設定部）とを備える。
【００７１】
スタート抽出部１６１は、入力映像信号又は疑似映像信号のスタートを抽出し、抽出できたか否かを示す信号を条件判定回路１６３に出力する。例えば、スタート抽出部１６１は、入力映像信号及び疑似映像信号が準拠するプロトコルによって規定されたスタートビットを検出することにより、スタートを抽出する。具体的には、スタート抽出部１６１は、スイッチ１２０Ａ（ＳＷ１）の入力が入力端子ａの場合、疑似映像信号に含まれるスタートを抽出し、スイッチ１２０Ａ（ＳＷ１）の入力が入力端子ｂの場合、入力映像信号に含まれるスタートを抽出する。
【００７２】
同期信号検出部１６２は、デコード回路１４０によるデコード後の同期信号を検出し、検出できたか否かを示す信号を条件判定回路１６３に出力する。
【００７３】
条件判定回路１６３は、表示装置１に対する入力映像信号の入力の有無を判定し、判定結果に応じてスイッチ１２０Ａ（ＳＷ１）の入力を切り替える。
【００７４】
具体的には、条件判定回路１６３は、スイッチ１２０Ａ（ＳＷ１）の入力が入力端子ｂになっている状態で、検出部１５０からキャリアを検出できたこと示す信号が出力されている場合には、スイッチ１２０Ａ（ＳＷ１）の入力を入力端子ｂのままとする。これにより、当該場合には、ＰＬＬ部１３０に対して引き続き入力映像信号が入力される。一方、条件判定回路１６３は、スイッチ１２０Ａ（ＳＷ１）の入力が入力端子ｂになっている状態で、検出部１５０からキャリアを検出できないこと示す信号が出力されている場合には、表示装置１に対する入力映像信号の入力が無い（無信号）ことを示す無信号検出信号を出力する。これにより、当該場合には、スイッチ１２０Ａ（ＳＷ１）の入力が入力端子ｂから入力端子ａへと切り替えられる。つまり、当該場合には、ＰＬＬ部１３０に対する入力が入力映像信号から疑似映像信号へと切り替えられる。
【００７５】
さらに、条件判定回路１６３は、スイッチ１２０Ａ（ＳＷ１）の入力が入力端子ｂになっている状態で、スタート抽出部１６１によるスタートの抽出ができない場合にも、無信号とみなして無信号検出信号を出力することにより、スイッチ１２０Ａ（ＳＷ１）の入力が入力端子ａに切り替えられる。
【００７６】
また、さらに、条件判定回路１６３は、スイッチ１２０Ａ（ＳＷ１）の入力が入力端子ｂになっている状態で、同期信号検出部１６２による同期信号の検出ができない場合にも、無信号とみなして無信号検出信号を出力することにより、スイッチ１２０Ａ（ＳＷ１）の入力が入力端子ａに切り替えられる。
【００７７】
疑似信号基準周波数制御回路１６４（変更部）は、検出部１５０によって表示装置１に対する入力映像信号の入力が無いと検出された場合、ＰＬＬ部１３０に対して抽出クロックの周波数を変更させる。具体的には、疑似信号基準周波数制御回路１６４は、条件判定回路１６３から無信号検出信号が出力された場合に、ＰＬＬ部１３０から出力される抽出クロックの周波数を設定するための基本周波数情報を変更することにより、当該抽出クロックの周波数を変更させる。
【００７８】
ここで、ＰＬＬ部１３０を含むフィードバックループが形成されている場合には、基本周波数情報を変更しても抽出クロックの周波数を変更させることができない。そこで、疑似信号基準周波数制御回路１６４は、ＰＬＬ部１３０に対して抽出クロックの周波数を変更させる前に、ＰＬＬ部１３０から出力されるクロックの周波数を固定させるための固定信号を出力する。具体的には、当該疑似信号基準周波数制御回路１６４は、抽出クロックの周波数を変更させる前に、ループフィルタ１３３の出力を固定するための固定信号を出力する。これにより、上記フィードバックループの形成が阻害されるので、抽出クロックの周波数を変更させることができる。
【００７９】
なお、疑似信号基準周波数制御回路１６４は、抽出クロックの周波数を変更させた後に、固定信号を停止すればよい。
【００８０】
以上のように、制御部１６０は、検出部１５０によって入力映像信号の入力が有ると検出された場合、入力映像信号をＰＬＬ部１３０に入力させ、無いと検出された場合、疑似映像信号をＰＬＬ部１３０に入力させる。
【００８１】
また、制御部１６０は、検出部１５０は、表示装置１に対する入力映像信号の入力の有無を、所定時間間隔で繰り返し検出してもよい。具体的には、制御部１６０は、スイッチ１２０Ａ（ＳＷ１）の入力を入力端子ａにしている場合に、所定時間（例えば、１００［ｍｓ］）間隔で、当該入力を入力端子ｂに切り替えてもよい。つまり、制御部１６０は、表示装置１に対する入力映像信号の有無の検知を所定時間間隔で行ってもよい。なお、入力映像信号の入力の有無を検知する間隔は、所定時間間隔に限らず、任意の時間間隔であってもよい。
【００８２】
また、疑似信号基準周波数制御回路１６４（変更部）は、入力映像信号が準拠する所定の通信規格によって定められた周波数帯域の最大周波数（ＭＡＸ）、中心周波数（ＴＹＰ）及び最小周波数（ＭＩＮ）を抽出クロックの周波数として、任意の順序で変更してもよい。
【００８３】
［２．動作］
次に、以上のように構成された表示切替部３１の動作について、図４及び図５を用いて説明する。図４は、本実施の形態における表示切替部３１の動作を示すフローチャートである。図５は、本実施の形態におけるデコード回路１４０から出力される同期信号を示すタイミングチャートである。
【００８４】
まず、初期状態（例えば、表示装置１の電源投入時）においては、スイッチ１２０Ｂ（ＳＷ２）の入力を入力端子ａにする。つまり、スイッチ１２０Ｂ（ＳＷ２）の入力を疑似映像信号が入力される側に設定する（Ｓ１０１）。また、スイッチ１２０Ａ（ＳＷ１）の入力も入力端子ａにする。これにより、初期状態では、疑似映像信号に基づく所定の画像（ブルーバック）が表示パネル４０に表示される。
【００８５】
次に、疑似信号基準周波数制御回路１６４によって、ＰＬＬ部１３０から出力される抽出クロックの周波数を、上述した通信規格によって定められた周波数帯域の中心周波数（ＴＹＰ）に設定する。つまり、ＰＬＬ部１３０による引き込みの基準周波数を中心周波数（ＴＹＰ）に設定する（Ｓ１０２）。
【００８６】
その後、スイッチ１２０Ａ（ＳＷ１）の入力を入力端子ａにする。つまり、スイッチ１２０Ａ（ＳＷ１）の入力を疑似映像信号が入力される側に設定する（Ｓ１０３）。
【００８７】
これにより、初期状態では、ＰＬＬ部１３０に対して疑似映像信号が入力される。また、キャリア検出部１５２、スタート抽出部１６１及び同期信号検出部１６２によって、キャリア検出、スタート抽出及び検出等のプロトコルに必要な信号が検出（抽出）される。また、デコード回路１４０において疑似映像信号がデコードされることにより、表示切替部３１からは、ＴＣＯＮ３３に必要な形式の映像信号が出力される。
【００８８】
ここで、疑似映像信号生成部１１０は、初期状態では、入力映像信号が準拠した通信規格によって定められた周波数帯域の中心周波数（ＴＹＰ）を想定し、基準クロックを作成する。さらに、同期信号及びブルーバック等の表示パネル４０にストレスをかけにくい映像信号を作成し、当該映像信号に抽出クロック（ここでは、基準クロック）を重畳することにより、疑似映像信号を生成する。
【００８９】
つまり、初期状態では、デコード回路１４０によるデコード後の映像信号として、表示パネル４０に所定の画像（例えば、ブルーバック）を表示するための信号が生成される。つまり、デコード後の映像信号として、疑似映像信号生成部１１０において抽出クロックを重畳する前の疑似信号が生成される。
【００９０】
次に、検出部１５０によって、疑似映像信号のキャリアが検知できたか否かを判断する（Ｓ１０４）。
【００９１】
ここで、疑似映像信号のキャリア検出ができた場合（Ｓ１０４でＹｅｓ）、スイッチ１２０Ａ（ＳＷ１）のみ入力を入力端子ｂに切り替える。つまり、スイッチ１２０Ａ（ＳＷ１）の入力を入力映像信号が入力される側に設定する（Ｓ１０５）。なお、疑似映像信号のキャリア検出ができなかった場合（Ｓ１０４でＮｏ）は、キャリア検出ができるまで当該検出を繰り返す。
【００９２】
次に、検出部１５０によって、入力映像信号のキャリアを検知できたか否かを判断する（Ｓ１０６）。すなわち、表示装置１に対する入力映像信号の入力の有無を検知する。
【００９３】
ここで、入力映像信号がない場合、すなわち、表示装置１に対する入力映像信号の入力がない場合（Ｓ１０６でＮｏ）は、キャリアが検出できない。よって、無信号状態が継続する。この場合（Ｓ１０６でＮｏの場合）、疑似信号基準周波数制御回路１６４により基本周波数情報を変更することにより、抽出クロックの周波数を最大周波数（ＭＡＸ）に設定する。つまり、ＰＬＬ部１３０による引き込みの基準周波数を最大周波数（ＭＡＸ）に設定する（Ｓ１０７）。なお、入力映像信号のキャリア検出ができた場合（Ｓ１０６でＹｅｓ）については、後述する。
【００９４】
その後、スイッチ１２０Ａ（ＳＷ１）の入力を、再度、入力端子ａにして、上述のＳ１０３〜Ｓ１０６と同様の処理を繰り返す（Ｓ１０８〜Ｓ１１１）。つまり、スイッチ１２０Ａ（ＳＷ１）の入力を疑似映像信号が入力される側に設定し（Ｓ１０８）、抽出クロックを再度疑似信号にロックさせてから（１０９でＹｅｓ）、スイッチ１２０Ａ（ＳＷ１）の入力を入力映像信号側に設定（Ｓ１１０）した後に、入力映像信号のキャリアを検知できたか否かを判断する（Ｓ１１１）。
【００９５】
ここで、入力映像信号がない場合（Ｓ１１１でＮｏ）、疑似信号基準周波数制御回路１６４により基本周波数情報を変更することにより、抽出クロックの周波数を最少周波数（ＭＩＮ）に設定する。つまり、ＰＬＬ部１３０による引き込みの基準周波数を最少周波数（ＭＩＮ）に設定する（Ｓ１１２）。なお、入力映像信号のキャリア検出ができた場合（Ｓ１１１でＹｅｓ）については、後述する。
【００９６】
その後、スイッチ１２０Ａ（ＳＷ１）の入力を、再度、入力端子ａにして、上述のＳ１０３〜Ｓ１０６及びＳ１０８〜Ｓ１１１）と同様の処理を繰り返す（Ｓ１１３〜Ｓ１１６）。
【００９７】
ここで、入力映像信号がない場合（Ｓ１１６でＮｏ）、上記Ｓ１０２に戻る。つまり、疑似信号基準周波数制御回路１６４により基本周波数情報を変更することにより、抽出クロックの周波数を中心周波数（ＴＹＰ）に設定する。
【００９８】
また、ステップＳ１０６、Ｓ１１１及びＳ１１６において、検出部１５０によって、入力映像信号のキャリアを検知できた場合（Ｓ１０６でＹｅｓ，Ｓ１１１でＹｅｓ、及び、Ｓ１１６でＹｅｓ）、スイッチ１２０Ｂ（ＳＷ２）の入力を入力端子ｂに切り替える（Ｓ１１７）。これにより、デコード回路１４０では、入力映像信号に基づく通常の映像を表示するための信号が生成される。言い換えると、デコード後の映像信号として、映像信号発生器２Ａ〜２Ｃにおいてクロックを重畳する前の映像信号が生成される。すなわち、表示パネル４０に表示される映像は、所定の画像（ブルーバック）から入力映像信号に基づく通常の映像へと切り替えられる。
【００９９】
以上のように、本実施の形態における表示切替部３１では、当該表示装置１に対する入力映像信号の入力の有無を、所定時間間隔で繰り返し検出する。具体的には、当該入力映像信号の入力が無い場合、抽出クロックの周波数を変更する。より具体的には、入力映像信号が準拠する所定の通信規格によって定められた周波数帯域の最大周波数（ＭＡＸ）、中心周波数（ＴＹＰ）及び最小周波数（ＭＩＮ）を抽出クロックの周波数として、変更する。なお、抽出クロックを変更する順序は、上述した順序に限らず、任意の順序でよい。
【０１００】
なお、上述のステップＳ１１７において、スイッチ１２０Ｂ（ＳＷ２）を切り替えた直後は、デコード後の映像信号が一垂直期間内不連続な状態になるので、その間同期信号をマスクしてもよい。これについて、図５を用いて具体的に説明する。
【０１０１】
図５は、デコード回路１４０から出力される同期信号を示すタイミングチャートである、同図には、疑似映像信号のデコード結果に含まれる垂直同期信号（図中の疑似映像信号：Ｖｓｙｎｃ）、入力映像信号のデコード結果に含まれる垂直同期信号（図中の入力映像信号：Ｖｓｙｎｃ）、及び、デコード回路１４０から出力される垂直同期信号（図中の出力：Ｖｓｙｎｃ）が示されている。
【０１０２】
同図に示すように、スイッチ１２０Ｂ（ＳＷ２）の切り替え前、つまり、疑似映像信号をデコードする第１状態では、デコード回路１４０から出力される垂直同期信号（図中の出力：Ｖｓｙｎｃ）は、疑似映像信号のデコード結果に含まれる垂直同期信号（図中の疑似映像信号：Ｖｓｙｎｃ）となっている。これに対して、スイッチ１２０Ｂ（ＳＷ２）の切り替え後、つまり、入力映像信号をデコードする第２状態では、デコード回路１４０から出力される垂直同期信号（図中の出力：Ｖｓｙｎｃ）は、入力映像信号のデコード結果に含まれる垂直同期信号（図中の入力映像信号：Ｖｓｙｎｃ）となっている。
【０１０３】
ただし、切り替わり後の垂直同期信号は、切り替わり前の垂直同期信号から１フレーム期間が過ぎるまで出力されない。つまり、デコード回路１４０は、切り替わり前の垂直同期信号のパルスから１フレーム期間内は垂直同期信号のパルスをマスクする。これにより、スイッチ１２０Ｂ（ＳＷ２）の切り替わり後の表示不良を抑制できる。
【０１０４】
このように、デコード回路１４０は、疑似映像信号をデコードする第１状態から入力映像信号をデコードする第２状態へ切り替わった場合、切り替わり直前の同期信号から１フレーム期間が過ぎてから、切り替わり後の同期信号を出力してもよい。
【０１０５】
［３．比較例との対比］
ここで、本実施の形態に係る表示装置の比較例について、図６を用いて説明する。図６は、比較例における表示切替部の構成を示すブロック図である。
【０１０６】
同図に示す表示切替部９３１は、本実施の形態における表示切替部３１と比較して、ＰＬＬ部９３０に対して入力映像信号のみが入力される点が異なる。また、信号生成部９１０からは、ＴＣＯＮ３３に必要な形式、かつ、ブルーバック等の所定の画像を表示するための映像信号である疑似信号及び疑似同期信号が出力される点が異なる。
【０１０７】
このような表示切替部３１では、選択部９２０によって、信号生成部９１０側又はデコード回路９４０側が選択されることにより、信号生成部９１０で生成された疑似信号及び疑似同期信号、又は、デコード回路９４０のデコード結果である映像信号及び同期信号が出力される。
【０１０８】
しかしながら、このような表示切替部９３１を備える表示装置では、次のような問題がある。
【０１０９】
すなわち、入力映像信号が無信号状態の場合に、ＰＬＬ部９３０において同期はずれが生じることにより、ＰＬＬ部９３０が動作しなくなる場合がある。この場合、その後、入力映像信号が入力されてもＰＬＬ部９３０が当該入力映像信号を引き込むことができない虞がある。つまり、入力映像信号に基づく正常な画像が表示されない等の動作不良が生じる虞がある。
【０１１０】
これに対して、本実施の形態では、ＰＬＬ部１３０に対して、入力映像信号及び疑似映像信号のうちの一方の信号が選択的に入力される。これにより、入力映像信号が無い場合であっても、ＰＬＬ部１３０は疑似映像信号の同期引き込みを行うことができる。よって、同期はずれによるＰＬＬ部１３０の停止を抑制できる。つまり、本実施の形態に係る表示装置１は、動作不良を低減することができる。
【０１１１】
［１−３．効果等］
以上説明したように、本実施の形態に係る表示装置１は、映像信号にクロック（第１クロック）が重畳された入力映像信号を用いて、映像を表示する表示装置であって、所定の映像を表示するための疑似信号に疑似クロック（第２クロック）が重畳された疑似映像信号を生成する疑似映像信号生成部１１０（生成部）と、入力映像信号及び疑似映像信号のうちの一方の信号が選択的に入力され、当該一方の信号に含まれるクロック（第１クロック）又は疑似クロックと同期するように、抽出クロックを出力するＰＬＬ部１３０と、抽出クロックを用いて、一方の信号をデコードすることにより、デコード後の映像信号及び同期信号を出力するデコード回路１４０とを備える。
【０１１２】
このように、ＰＬＬ部１３０に対して、入力映像信号及び疑似映像信号のうちの一方の信号が選択的に入力されるので、入力映像信号が無い場合であっても、ＰＬＬ部１３０は疑似映像信号の同期引き込みを行うことができる。よって、同期はずれによるＰＬＬ部１３０の停止を抑制できる。つまり、本実施の形態に係る表示装置１は、動作不良を低減することができる。
【０１１３】
また、本実施の形態に係る表示装置１は、さらに、表示装置１の外部機器である映像信号発生器２Ａ〜２Ｃから当該表示装置１に対する入力映像信号の入力の有無を検出する検出部１５０と、検出部１５０によって入力映像信号の入力が有ると検出された場合、入力映像信号をＰＬＬ部１３０に入力させ、無いと検出された場合、疑似映像信号をＰＬＬ部１３０に入力させる制御部１６０とを備える。
【０１１４】
このように、表示装置１の外部機器である映像信号発生器２Ａ〜２Ｃから当該表示装置１に対する入力映像信号の入力の有無に応じて、ＰＬＬ部１３０に入力される信号が切り替えられるので、表示装置１に対する入力映像信号の入力がない状態（無信号状態）であっても、同期はずれによるＰＬＬ部１３０の停止を抑制できる。
【０１１５】
また、本実施の形態において、検出部１５０は、入力映像信号の入力の有無を、所定時間間隔で繰り返し検出する。
【０１１６】
これにより、表示装置１に対して入力映像信号の入力が開始された場合に、ＰＬＬ部１３０が入力映像信号を速やかに引き込むことができる。よって、当該表示装置１は、入力映像信号に基づく映像を速やかに表示することができる。つまり、ＰＬＬ部１３０が高速にロックできる。よって、表示装置１は、入力映像信号に基づく映像を速やかに表示することができる。
【０１１７】
また、本実施の形態において、制御部１６０は、検出部１５０によって入力映像信号の入力が無いと検出された場合、抽出クロックの周波数を変更させる疑似信号基準周波数制御回路１６４（変更部）を備える。
【０１１８】
これにより、例えば、入力映像信号に周波数拡散がかかっている場合、及び、表示装置１の外部機器である映像信号発生器２Ａ〜２Ｃの基準周波数が所定の周波数からずれることにより、入力映像信号に含まれるクロックが通信規格の中心周波数からずれている場合等であっても、ＰＬＬ部１３０は入力映像信号の同期引き込みを行うことができる。つまり、これらの場合であっても、ＰＬＬ部１３０はロックできる。よって、これらの場合であっても、表示装置１は、入力映像信号に基づく映像を表示することができる。
【０１１９】
また、本実施の形態において、疑似信号基準周波数制御回路１６４は、所定の通信規格によって定められた周波数帯域の最大周波数、中心周波数及び最小周波数を抽出クロックの周波数として、任意の順序で変更する。
【０１２０】
これにより、表示装置１の外部機器である映像信号発生器２Ａ〜２Ｃ（外部機器）の基準周波数が所定の周波数からずれることにより、入力映像信号に含まれるクロックが通信規格の中心周波数からずれている場合であっても、ＰＬＬ部１３０によって入力映像信号の同期引き込みを行うことができる。つまり、このような場合であっても、ＰＬＬ部１３０はロックできる。よって、このような場合であっても、表示装置１は、入力映像信号に基づく映像を表示することができる。
【０１２１】
また、本実施の形態において、デコード回路１４０は、疑似映像信号をデコードする第１状態から入力映像信号をデコードする第２状態へ切り替わった場合、切り替わり直前の同期信号から１フレーム期間が過ぎてから、切り替わり後の同期信号を出力する。
【０１２２】
これにより、切り替え時の表示不良を抑制できる。
【０１２３】
また、本実施の形態において、疑似映像信号生成部１１０は、疑似クロックとして抽出クロックを用いて、疑似映像信号を生成する。
【０１２４】
これにより、入力映像信号に含まれるクロックと、疑似映像信号に含まれる疑似クロックとの差を小さくすることができる。すなわち、ＰＬＬ部１３０への入力が擬似映像信号から入力映像信号に切り替えられた直後、つまり、スイッチ１２０Ａ（ＳＷ１）の入力が入力端子ａから入力端子ｂに切り替えられた直後において、抽出クロックと入力映像信号に含まれるクロックとの周波数差を小さくすることができる。したがって、ＰＬＬ部１３０は、入力映像信号の同期引き込みを速やかに行うことができる。つまり、ＰＬＬ部１３０が高速にロックできる。よって、ＰＬＬ部１３０に対する入力が入力映像信号に切り替えられた場合に、表示装置１は、入力映像信号に基づく映像を速やかに表示することができる。
【０１２５】
（他の実施の形態）
以上、本出願において開示する技術の例示として、実施の形態について説明した。しかしながら、本開示における技術は、これに限定されず、適宜、変更、置き換え、付加、省略などを行った実施の形態にも適用可能である。
【０１２６】
そこで、以下、他の実施の形態を例示する。
【０１２７】
例えば、本開示に係る表示装置の構成は上記説明に示す構成に限らず、少なくとも、図７に示すような構成であればよい。図７は、他の実施の形態に係る表示装置内の表示切替部３１Ａの構成を示すブロック図である。
【０１２８】
同図に示すように、表示装置は、少なくとも、映像信号に第１クロックが重畳された入力映像信号を用いて、映像を表示する表示装置であって、所定の映像を表示するための疑似信号に第２クロックが重畳された疑似映像信号を生成する疑似映像信号生成部１１０Ａ（生成部）と、入力映像信号及び疑似映像信号のうちの一方の信号がスイッチ１２０Ａによって選択的に入力され、当該一方の信号に含まれる第１クロック又は第２クロックと同期するように、抽出クロックを出力するＰＬＬ部１３０Ａと、抽出クロックを用いて、一方の信号をデコードするデコード回路１４０Ａとを備えていればよい。なお、スイッチ１２０Ａは無くてもよく、ＰＬＬ部１３０Ａとして、一方の信号を受け付ければよい。
【０１２９】
このような構成であっても、上記説明と同様に、動作不良を低減することができる。
【０１３０】
すなわち、上記説明では、疑似映像信号生成部１１０は、疑似クロック（第２クロック）として抽出クロックを用いて疑似映像信号を生成していたが、これに限らず、発振器（例えば水晶発振子等）によって発生された基準信号を用いて疑似クロックを生成してもよい。
【０１３１】
また、本開示は、このような表示装置に含まれる特徴的な処理部が実行する処理をステップとする表示装置の表示切替方法として実現することができる。
【０１３２】
図８は、他の実施の形態における表示装置の表示切替方法を示すフローチャートであり、図９は、図８中の抽出クロックを生成する処理を具体的に示すフローチャートである。
【０１３３】
これらの図に示すように、本開示の一態様に係る表示装置の表示切替方法は、映像信号に第１クロックが重畳された入力映像信号を用いて、映像を表示する表示装置の表示切替方法であって、所定の映像を表示するための疑似信号に第２クロックが重畳された疑似映像信号を生成するステップ（Ｓ２０１）と、入力映像信号及び疑似映像信号のうちの一方の信号に含まれる第１クロック又は第２クロックと同期するように、抽出クロックを生成するステップ（Ｓ２０２）と、生成された抽出クロックを用いて、一方の信号をデコードするステップ（Ｓ２０３）とを含む。また、抽出クロックを生成するステップ（Ｓ２０２）は、入力映像信号及び疑似映像信号のうちの一方の信号を選択するステップ（Ｓ２２１）と、一方の信号として入力映像信号が選択された場合、第１クロックと同期するように抽出クロックを生成するステップ（Ｓ２２２）と、一方の信号として疑似映像信号が選択された場合、第２クロックと同期するように抽出クロックを生成するステップ（Ｓ２２３）とを含む。
【０１３４】
また、例えば、上記説明では、入力映像信号は、表示装置の外部機器で生成されるとして説明したが、表示装置に組み込まれた記憶部に記憶された映像信号を用いて表示装置の内部で生成されていてもよい。
【０１３５】
また、例えば、上記説明では、検出部１５０は、スイッチ１２０Ａ（ＳＷ１）の入力が入力端子ｂにされ、かつ、キャリア検出部１５２によってキャリアが検出できた場合に、表示装置１に対する入力映像信号の入力が有ると判断したが、当該入力の有無の判断はこれに限らない。例えば、ＰＬＬ部１３０はロックしたことを示すロック信号を検出部１５０に出力してもよく、検出部１５０は、スイッチ１２０Ａ（ＳＷ１）の入力が入力端子ｂにされ、かつ、ＰＬＬ部１３０からロック信号が出力されている場合に、表示装置１に対する入力映像信号の入力が有ると判断してもよい。
【０１３６】
また、例えば、上記説明では、表示切替動作を行うトリガとして、表示装置１の電源投入時について説明したが、当該トリガはこれに限らない。例えば、ユーザ操作及び外部機器の接続又は取り外しに等によって、スイッチ１０が切り替えられた場合であってもよいし、入力映像信号に含まれるクロックの周波数が所定範囲から外れた場合であってもよい。
【０１３７】
また、例えば、上記説明では、表示装置１に対する入力映像信号の入力が無い場合、抽出クロックの周波数を、所定の通信規格によって定められた周波数帯域の最大周波数（ＭＡＸ）、中心周波数（ＴＹＰ）及び最小周波数（ＭＩＮ）に変更したが、変更後の周波数はこれに限らず、変更前の周波数と異なっていればよい。つまり、当該場合、抽出クロックの周波数をスイープしてもよい。
【０１３８】
また、例えば、上記の各装置を構成する構成要素の一部または全部は典型的には集積回路であるＬＳＩとして実現されてもよい。これらは個別に１チップ化されてもよいし、一部又は全てを含むように１チップ化されてもよい。
【０１３９】
ここでは、ＬＳＩとしたが、集積度の違いにより、ＩＣ、システムＬＳＩ、スーパーＬＳＩ、ウルトラＬＳＩと呼称されることもある。
【０１４０】
また、集積回路化の手法はＬＳＩに限るものではなく、専用回路又は汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用してもよい。
【０１４１】
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
【０１４２】
以上のように、本開示における技術の例示として、実施の形態を説明した。そのために、添付図面及び詳細な説明を提供した。
【０１４３】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１４４】
また、上述の実施の形態は、本開示における技術を例示するためのものであるから、特許請求の範囲またはその均等の範囲において種々の変更、置き換え、付加、省略などを行うことができる。
【産業上の利用可能性】
【０１４５】
本開示は、表示装置に利用でき、特にテレビジョンセットなどの表示装置に利用することができる。
【符号の説明】
【０１４６】
１  表示装置
２Ａ、２Ｂ、２Ｃ  映像信号発生器
１０、１２０Ａ、１２０Ｂ  スイッチ
２０  変換器
３０  回路ブロック
３１、３１Ａ、９３１  表示切替部
３２  映像信号処理回路
３３  ＴＣＯＮ
４０  表示パネル
４１  画素
４２  画素アレイ
４３  ゲートドライバ
４４  ソースドライバ
１１０、１１０Ａ  疑似映像信号生成部
１３０、１３０Ａ、９３０  ＰＬＬ部
１３１  プログラマブル分周器
１３１Ａ、１３１Ｂ  分周器
１３２  位相比較器
１３３  ループフィルタ
１３４  ＶＣＯ
１４０、１４０Ａ、９４０  デコード回路
１５０  検出部
１５１  エッジ検出部
１５２  キャリア検出部
１６０  制御部
１６１  スタート抽出部
１６２  同期信号検出部
１６３  条件判定回路
１６４  疑似信号基準周波数制御回路
９１０  信号生成部
９２０  選択部
【図１】
2015220593.tif 000003
【図２】
2015220593.tif 000004
【図３】
2015220593.tif 000005
【図４】
2015220593.tif 000006
【図５】
2015220593.tif 000007
【図６】
2015220593.tif 000008
【図７】
2015220593.tif 000009
【図８】
2015220593.tif 000010
【図９】
2015220593.tif 000011